(57)【特許請求の範囲】
【請求項１】
下記（１）又は（２）の特徴を有する防水シート。
（１）シート状基材と、このシート状基材に貼り合わされた剥離フィルムと、この剥離フィルムから容易に剥離するように貼り合わされた改質アスファルトを含む粘着層とが積層して形成されている。
（２）シート状基材とこのシート状基材から容易に剥離するように貼り合わされた剥離フィルムと、この剥離フィルムに貼り合わされた改質アスファルトを含む粘着層とが積層して形成されている。
【請求項２】
請求項１に記載の防水シートを用いることを特徴とする壁への防水層形成方法。
【請求項３】
請求項１〜２に記載の防水シートを用いて防水層を形成した壁。
【発明の詳細な説明】
【０００１】
【発明の属する技術分野】
本発明は海中や地中に築造される場所打ち鉄筋コンクリート連続壁やソイルセメント柱列壁などの壁の表面に防水層を容易に施工可能な防水シートと、この防水シートを用いる壁への防水層形成方法およびこの防水シートを用いて防水層を形成した壁に関するものである。
【０００２】
【従来の技術】
シート状基材とアスファルト組成物層とを積層した防水シートが、特開昭５２−３１５１７号公報に開示されている。
地中構造物の防水工法として、特開昭５９−１９９９９４号公報に開示されている。
壁における外防水シート敷設工法が特開平４−２７２３２６号公報に開示されている。
連続地中壁への防水層形成方法が、特開平８−１６５６４２号公報、特開平９−４１３６５号公報に開示されている。
【０００３】
【発明が解決しようとする課題】
地下部等における鉄道、道路又は既設建物などの構造物の下を横断する地下構造物や、山岳トンネル、仕切壁などの連続した壁に防水層を持つ構造物の施工方法として、壁が構造物本体の一部として利用され、この壁に防水層を設け、さらに二次覆工が防水層に直接打設され一体化される方法が用いられている。防水層として、比較的軟質で伸びの大きいゴム系シートや改質アスファルト系の防水シートを貼着やまたベントナイト系マット、ウレタン・ゴムアスの吹付けがが一般的である。
【０００４】
凹凸のある壁へ防水シートを用いて防水層を形成する場合、壁の凹凸により防水シートに穴が開かないように、緩衝層を持つ防止シートが用いられている。
緩衝層を持つ防水シートを用いて壁に施工する場合、緩衝層を地中壁側にあわせ、釘、鋲打ちまたはアンカーなどにより防水シートを固定している。防水シートと防水シートとのつなぎには、緩衝層のない防水性のシートを貼り合わしている。さらに、壁やその端部などで施工する場合、防水シートを切断して使用する必要があった。シートの切断は、危険で、切断による作業時間ロス、施工場所により容易に防水シートが施工，切断出来ないなどの問題が考えられる。そのため、壁へ容易に施工可能な緩衝層を持つ防水シートが求められていた。さらに、防水シート同志の接合方法として、従来の突合せジョイントより接合部の信頼性の高いラップジョイントが可能な防水シートが望まれていた。
【０００５】
【課題を解決するための手段】
本発明は、下記(1)又は(2)の特徴を有する防水シートに関する。
(1)シート状基材と、このシート状基材に貼り合わされた剥離フィルムと、この剥離フィルムから容易に剥離するように貼り合わされた改質アスファルトを含む粘着層とが積層して形成されている。
(2)シート状基材とこのシート状基材から容易に剥離するように貼り合わされた剥離フィルムと、この剥離フィルムに貼り合わされた改質アスファルトを含む粘着層とが積層して形成されている。
【０００６】
さらに本発明は、シートの１つの端部がシート状基材および剥離フィルムがなく、剥離シートとこの剥離シートから容易に剥離するように貼り合わされた改質アスファルトを含む粘着層とが積層して形成され、該シートの１つの端部分を除いた残部が下記(1)又は(2)の特徴を有する防水シートに関する。
(1)シート状基材と、このシート状基材に貼り合わされた剥離フィルムと、この剥離フィルムから容易に剥離するように貼り合わされた改質アスファルトを含む粘着層とが積層して形成されている。
(2)シート状基材とこのシート状基材から容易に剥離するように貼り合わされた剥離フィルムと、この剥離フィルムに貼り合わされた改質アスファルトを含む粘着層とが積層して形成されている。
【０００７】
さらに本発明は、上記の防水シートを用いる壁への防水層形成方法に関する。
【０００８】
さらに本発明は、上記の防水シートを用いて防水層を形成した壁に関する。
【０００９】
【発明の実施の形態】
本発明は、下記(1)又は(2)の特徴を有する防水シートに関する。
(1)シート状基材と、このシート状基材に貼り合わされた剥離フィルムと、この剥離フィルムから容易に剥離するように貼り合わされた改質アスファルトを含む粘着層とが積層して形成されている。
(2)シート状基材とこのシート状基材から容易に剥離するように貼り合わされた剥離フィルムと、この剥離フィルムに貼り合わされた改質アスファルトを含む粘着層とが積層して形成されている。
【００１０】
さらに、本発明の防水シートは、シートの１つの端部がシート状基材および剥離フィルムがなく、剥離シートとこの剥離シートから容易に剥離するように貼り合わされた改質アスファルトを含む粘着層とが積層して形成され、該シートの１つの端部分を除いた残部が下記(1)又は(2)の特徴を有する防水シートである。
(1)シート状基材と、このシート状基材に貼り合わされた剥離フィルムと、この剥離フィルムから容易に剥離するように貼り合わされた改質アスファルトを含む粘着層とが積層して形成されている。
(2)シート状基材とこのシート状基材から容易に剥離するように貼り合わされた剥離フィルムと、この剥離フィルムに貼り合わされた改質アスファルトを含む粘着層とが積層して形成されている。
【００１１】
シートの１つの端部がシート状基材および剥離フィルムがなく、剥離フィルムと、この剥離フィルムから容易に剥離するように貼り合わされた改質アスファルトを含む粘着層とが積層して形成されている防水シートは、施工時、端部の剥離フィルムを剥がすことにより容易に重ね貼りが出来、作業性がさらに向上する。
【００１２】
本発明の防水シートを用いることにより、防水シート同志の接合方法として従来の突き合わせジョイントで施工することなく、接合部の信頼性の高いラップジョイントで施工することが出来る。
【００１３】
本発明の防水シートのシートの１つの端部は、ロール状の防水シート場合、ロールの巻方向と平行な一方のシート端部が好ましく、該ロールの巻方向と平行な一方のシート端部がシートの端から幅方向に下限値として２ｃｍ、さらに５ｃｍ、特に１０ｃｍから上限値として５０ｃｍ、さらに４０ｃｍ、特に３０ｃｍの範囲であることが好ましい。ここで、幅方向とは巻方向と垂直の方向のことである。
【００１４】
シート状基材と剥離フィルムとを「容易に剥離するように貼り合わせる」とは、一般的な成人が手で剥離できることを意味し、例えば、剥離速度３００ｍｍ／ｍｉｎにおける１８０°剥離強度が２５ｍｍ幅で０．１Ｎ〜２Ｎの範囲で、かつ、シート状基材および剥離フィルムのいずれの引張強度よりも小さくなるように、シート状基材と剥離フィルムとを貼り合わせることをいう。
さらに好ましくは、剥離フィルムと改質アスファルトを含む粘着層とを「容易に剥離するように貼り合わせる」とは、剥離速度３００ｍｍ／ｍｉｎにおける１８０°剥離強度が２５ｍｍ幅で０．１Ｎ〜２Ｎの範囲で、かつ、剥離フィルムおよび改質アスファルトを含む粘着層のいずれの引張強度よりも小さくなるように、剥離フィルムと改質アスファルトを含む粘着層とを貼り合わせることをいう。
【００１５】
シート状基材とは、シート状以外に、フィルム状、布状などの基材を用いることが出来る。
シート状基材とは、耐水性の高くものを用いることが出来る。
シート状基材とは、緩衝性のあるものを用いることが出来る。
シート状基材とは、通水性、透水性のあるものを用いることが出来る。
さらにシート状基材は、柔軟性を持つシートを用いることが出来る。
【００１６】
シート状基材とは、厚さ０．５ｍｍ〜５ｍｍ程度のポリエチレン系やポリプロピレン系などのポリオレフィン系シート、ポリアミド系シート、ポリイミド系シート、ポリエステル系シート、ポリハロゲン化ビニル系シート、ポリハロゲン化ビニリデン系シートを用いることが出来る。
シート状基材とは、さらに独立気泡または、開気孔等の気孔をもつ連通孔、エンボス形状やスポンジ構造などの空気によって応力吸収のある空気緩衝性を持つ例えば、厚さ０．５ｍｍから１５ｍｍ程度の緩衝層を持つシートを用いることが出来る。
シート状基材とは、厚さ０．５ｍｍ〜７ｍｍ程度のポリエチレン系、ポリプロピレン系、ポリアミド系、ポリイミド系やポリエステル系などの有機質又は無機質の繊維からなる織布または、長繊維や短繊維の不織布またはフェルトなどを用いることが出来る。
【００１７】
シート状基材として、通水性又は、通水路をもつシートを用いることが好ましい。シート状基材において、通水性又は、通水路は、一次壁よりしみだす水を施工構造物の施工側（二次被覆壁側）に進入させることなく地中や壁外に排水できるため好ましい。
【００１８】
剥離フィルム又は、剥離シートは、１層又は多層フィルムであることが好ましい。剥離フィルム又は、剥離シートの材質としては、熱可塑性樹脂が好ましく、例えばポリオレフィン類、ポリアミド類、ポリエステル類、ポリ塩化ビニル、ポリ塩化ビニリデン、ポリスチレン等を用いることができる。中でも、ポリオレフィン類が、加工性が良好であって安価であり、好ましい。
剥離フィルム又は、剥離シートは、シリコン剥離剤で処理したシートを用いることが出来る。
さらに、剥離シートは、シリコン剥離剤で処理したクラフト紙などの紙を用いることが出来る。
【００１９】
剥離フィルムの厚みは材質によっても異なるが、通常５〜１００μｍ、実用上からは好ましくは１０〜５０μｍの範囲が好ましい。
【００２０】
剥離シートの厚みは材質によっても異なるが、通常１０〜１０００μｍ、実用上からは好ましくは１０〜５００μｍの範囲が好ましい。
【００２１】
改質アスファルトを含む粘着層は、アスファルトに各種合成ゴムおよび時には合成樹脂を添加して粘接着性や伸展性を改良した通常のものが使用される。
改質アスファルトを含む粘着層は、０．５ｍｍ〜５ｍｍ程度の厚さに形成されて用いることが出来る。
【００２２】
本発明の防水シートは、ロール状に巻かれて輸送や施工に供されて、用いることが出来る。
【００２３】
改質アスファルトを含む粘着層は、厚さ０．５〜３ｍｍ程度の高強度ポリプロピレンやポリエチレンなどのポリオレフィン、ポリエステル、ポリアミド、ポリイミド、ポリスルホンなどのシート状、不織布、織物などを芯材とし、その両面に厚さ０．５〜５ｍｍ程度の改質アスファルトを積層したものを用いることが出来る。
【００２４】
本発明の防水シートは、シート状基材が防水シートの最外層であり、さらに、一次壁と接触するシート状基材が通水性又は通水部や、透水部を持つように配置されていることが好ましい。
【００２５】
本発明の防水シートは、シート状基材、剥離フィルムおよび改質アスファルトを含む粘着層、さらに剥離シートの順に積層して用いることが出来る。ここで剥離シートは、改質アスファルトを含む粘着層から容易に剥離するように貼り合わせられていることが好ましい。
【００２６】
本発明によれば、シート状基材と剥離フィルムとを、当該シート状基材が容易に剥離するように貼り合わせて積層体Ａを形成する工程と、改質アスファルトを含む粘着層に、当該積層体Ａの当該剥離フィルムを、貼り合わせる工程とを有することを特徴とする防水シートの製造法又は、
改質アスファルトを含む粘着層と剥離フィルムとを、当該改質アスファルトを含む粘着層が容易に剥離するように貼り合わせて積層体Ｂを形成する工程と、シート状基材に、当該積層体Ｂの当該剥離フィルムを、貼り合わせる工程とを有することを特徴とする防水シートの製造法が提供される。
【００２７】
さらに本発明によれば、シート状基材と剥離フィルムとを貼り合わせて積層体Ｃを形成する工程と、改質アスファルトを含む粘着層に、当該積層体Ｃの当該剥離フィルムを、容易に剥離するように貼り合わせる工程とを有することを特徴とする防水シートの製造法又は、
改質アスファルトを含む粘着層と剥離フィルムとを貼り合わせて積層体Ｄを形成する工程と、シート状基材に、当該積層体Ｄの当該剥離フィルムを、容易に剥離するように貼り合わせる工程とを有することを特徴とする防水シートの製造法が提供される。
【００２８】
さらに本発明は、上記の防水シートを用いる壁への防水層形成方法に関する。
【００２９】
さらに本発明は、上記の防水シートを用いて防水層を形成した壁に関する。
【００３０】
本発明の防水シートは、屋上の床、屋内外壁、トンネル内壁、仕切り壁、鉄道，道路又は既設建物などの下を横断する地下構造物などの壁に用いることが出来る。
【００３１】
本発明の防水シートは、シート状基材が断熱性を持つ場合、断熱シートとして屋上や室内などの壁に用いることが出来る。
【００３２】
以下に、本発明の実施の形態を図面につき詳しく説明する。本発明は、これらの実施の形態のみに限定されるものではない。
【００３３】
本発明の防水シートの具体的構造の一例を、図面を用いて説明する。本発明は、これらの図面のみに限定されるものではない。
【００３４】
図１は本発明の一実施例を示す防水シート９の一部切欠裁分解斜視図であり、図２は同じ防水シート９の一部の断面図である。防水シート９はシート状基材１、剥離フィルム２および改質アスファルトを含む粘着層３の順で貼り合わせ積層されている。
【００３５】
図３は防水シート９の改質アスファルトを含む粘着層３側にさらに剥離シート４を貼り合わせ積層されている防水シート１０の一部切欠裁分解斜視図であり、図４は同じ防水シート１０の一部の断面図である。
【００３６】
図５は本発明の一実施例を示す防水シート１９の一部切欠裁分解斜視図であり、図６は同じ防水シート１９の一部の断面図である。防水シート１９は、シートの１つの端部ａが剥離シート１５および改質アスファルトを含む粘着層１３の順で貼り合わせ積層されている。シートの端部ａを除く部分が、シート状基材１１、剥離フィルム１２および改質アスファルトを含む粘着層１３の順で貼り合わせ積層されている。
【００３７】
図７は防水シート１９の改質アスファルトを含む粘着層１３側にさらに剥離シート１４を貼り合わせ積層されている防水シート２０の一部切欠裁分解斜視図であり、図８は同じ防水シート２０の一部の断面図である。
【００３８】
図１１は、シート状基材の一例である凸状の緩衝部９２を持つシート状基材９１の斜視図である。緩衝部９２が、一次壁と接するように取り付けると、緩衝部９２を除く部分が通水部として利用出来る。さらに、緩衝部９２に気体が充填されている場合、断熱性を持つようになる。
【００３９】
図１２は、シート状基材の一例である連通孔９４を持つシート状基材９３の斜視図である。
【００４０】
図９は、図２に示す本発明の防水シートを用い、防水層を有する壁を施工する一実施例を示す。図９は、一次壁６の表面に防水層を形成し、防水層にさらに二次被覆壁７を施工する壁３０の断面図である。
防水層として図２に示す構造の防水シート７１，７２および７３を用い、防水シート７１，７２および７３は一次壁６の表面とシート状基材１とを合わせて取り付ける。防水シートの取付は、釘、鋲打ちなどを用いて行うことが出来る。
防水シート７１，７２および７３は、（１）シート状基材１と、このシート状基材１に貼り合わされた剥離フィルム２と、この剥離フィルム２から容易に剥離するように貼り合わされた改質アスファルトを含む粘着層３とが積層して形成されている防水シートを用いている。
防水層の施工は、防水シート７１を一次壁６に取り付け、さらに防水シート７２を防水シート７１と一部重ね合わせて取り付ける。防水シート７２は、改質アスファルトを含む粘着層からシート状基材および剥離フィルムの一部を剥がし、この剥がす部分をシート状基材側に折り曲げる。このシート状基材および剥離フィルムのない改質アスファルトを含む粘着層を、防水シート７１の粘着層とラップジョイント式に貼り合わせる。防水シート７３も、防水シート７２と同じ様にして一次壁への取付、防水シート７２との貼り合わせを行う。
防水層施工時、防水シートの改質アスファルトを含む粘着層からシート状基材および剥離フィルムの一部を剥がす場合、改質アスファルトを含む粘着層からシート状基材および剥離フィルムが完全に分離しない程度であれば良く、剥がす長さは施工場所などにより好ましい長さを選択できる。
【００４１】
図１０は、図６に示すような本発明の防水シートを用い、防水層を有する壁を施工する一実施例を示す。図１０は、一次壁１６の表面に防水層を形成し、防水層にさらに二次被覆壁１７を施工する壁４０の断面図である。
防水層として図２に示す構造の防水シート８１と図４に示す構造の防水シート８１，８２および８３を用い、防水シート８１，８２および８３は一次壁１６の表面とシート状基材１１とを合わせて取り付ける。防水シートの取付は、釘、鋲打ちなどを用いて行うことが出来る。
【００４２】
防水シート８２および８３は、シートの端部ａがシート状基材および剥離フィルムがなく、剥離シートとこの剥離シートから容易に剥離するように貼り合わされた改質アスファルトを含む粘着層とが積層して形成され、該シートの端部ａを除いた残部がシート状基材と、このシート状基材に貼り合わされた剥離フィルムと、この剥離フィルムから容易に剥離するように貼り合わされた改質アスファルトを含む粘着層とが積層して形成されている。
防水層の施工は、防水シート８１を一次壁１６に取り付け、さらに防水シート８２を防水シート８１と一部重ね合わせて取り付ける。防水シート８２の剥離シートを剥がし、防水シート８２の粘着層を防水シート８１の粘着層にラップジョイント式で貼り合わせる。防水シート８３も防水シート８２と同じ様にして、一次壁１６に取付、剥離シートを剥がし、粘着層を貼り付ける。
【００４３】
特に、防水シート８２と８３との重なり部分が、端部ａより長い場合、防水シート８３の改質アスファルトを含む粘着層からシート状基材および剥離フィルムの一部を剥がし、この剥がす部分をシート状基材側に折り曲げる。このシート状基材および剥離フィルムのない改質アスファルトを含む粘着層を、防水シート８２の粘着層とラップジョイント式に貼り合わせる。
防水層施工時、防水シートの改質アスファルトを含む粘着層からシート状基材および剥離フィルムの一部を剥がす場合、改質アスファルトを含む粘着層からシート状基材および剥離フィルムが完全に分離しない程度であれば良く、剥がす長さは施工場所などにより好ましい長さを選択できる。
【００４４】
二次被覆壁として、コンクリートや、防水シートの粘着層側に型枠を組み立て、配筋してコンクリートを打設して二次覆工の鉄筋コンクリートを構築する壁を挙げることが出来る。
【００４５】
壁７０および壁８０では、二次被覆としてコンクリート系を用いると、防水シートの改質アスファルトを含む粘着層とコンクリートとの相溶性があり一体化しやすい。
【００４６】
壁７０および壁８０のような壁では、一次壁よりの漏水は、シート状基材が通水性があり、このシート状基材層を通じて排水されやすく、改質アスファルトを含む粘着層による防水層や二次被覆壁を通過しにくい。
【００４７】
シート状基材は緩衝性を持つため、一次壁の表面に凹凸や段差を有していても、表面を平坦にすることなく施工が可能となる。
さらに、シート状基材は緩衝性を持つため、一次壁の表面に凹凸や段差を有していても、防水シート施工時や二次被覆壁施工時において、防水層である粘着層が破れることを防止することができる。
【００４８】
図６に示す防水シート１９は、端部ａの剥離シート１５を剥がすことにより、釘や鋲を用いることなく、一次壁１６に容易に取り付けることが出来る。
【００４９】
【実施例】
以下、実施例および比較例を挙げて本発明を説明するが、本発明はこれらの実施例のみに限定されるものではない。
【００５０】
［実施例１］
・離型処理シートの作成
ＰＥＴ製不織布（厚さ２．１ｍｍ、目付２１０ｇ／ｍ2）とポリエチレン製フィルム（厚さ４０μｍ）をラミネートし、さらにこのポリエチレン製フィルムの外側の面（ＰＥＴ製不織布とは反対側の面）をシリコン系離型剤を用いて離型処理を行い、２層の離型処理シートを作成した。
【００５１】
・防水シートの作成
離型処理シートのポリエチレン製フィルムの離型処理面に、芯材として含浸不織布（厚さ１．０ｍｍ）の両面に厚さ１ｍｍの改質アスファルトをコーティングした改質アスファルト粘着層を積層し、さらに、改質アスファルト粘着層に剥離処理を行った紙製剥離シートを積層し、図４に示す４層の防水シートを作成した。
【００５２】
［実施例２］
実施例１で作成した離型処理シートを９００ｍｍ幅のロール状とした。
芯材として含浸不織布（厚さ１ｍｍ）の両面に厚さ各１ｍｍの改質アスファルトをコーティングした連続した幅１０００ｍｍの改質アスファルト粘着層の一方の面に、上記ロール状の離型処理シートのポリエチレン製フィルムの離型処理面と剥離処理を行った幅１１０ｍｍの紙製剥離シートとを並べて積層し、さらに、改質アスファルト粘着層の他の面に剥離処理を行った紙製剥離シートを積層し、図８に示すシートを作製した。
【００５３】
［実施例３］
ＰＥＴ製不織布（厚さ２．１ｍｍ、目付２１０ｇ／ｍ2）とポリエチレン製フィルム（厚さ１０μｍ）とをＣＲ系溶剤タイプのゴム系接着剤を用い、点貼り（線状）で容易に剥離するように接着した２層のシートを作成した。この２層のシートは、ＰＥＴ製不織布とポリエチレン製フィルムとの間で容易に剥離するものである。
実施例１の離型処理シートの代わりにこの２層のシートを用いて、実施例１と同様な方法でシートを作製した。
【００５４】
［実施例４］
実施例３の軽接着シートを９００ｍｍ幅のロール状とした。この９００ｍｍ幅の軽接着シートを用いた以外は、実施例２と同様に方法で、図２に示す幅１０００ｍｍのロール状のシートを作製した。
【００５５】
［実施例５］
ＰＥＴ製不織布（厚さ２．１ｍｍ、目付２１０ｇ／ｍ2）とポリエチレン製フィルム（厚さ１０μｍ）とを、加熱したロールにて圧着し軽接着シートを作成した。さらにこのポリエチレン製フィルムの外側の面（ＰＥＴ製不織布とは反対側の面）をシリコン系離型剤を用いて離型処理を行い、２層の離型処理シートを作成した。
この離型処理シートを用いて、実施例１と同様な方法でシートを作製した。
【００５６】
【発明の効果】
本発明の防水シートは、シート状基材層と防水層とが容易に剥がせるため、施工作業を簡単に行え、作業時間が短くなる。
本発明の防水シートは、凹凸状のある一次壁においても、ラップジョイント施工が容易にでき、防水性能が優れる。
本シートはラップジョイント施工が簡易にできるようになった。シート端部に剥離シートを設けた本発明の防水シートは、防水層施工時シートを折り返す必要はなく、シート間の接続はジョイント部で剥離シートを引き剥がすだけで容易にラップジョイントが可能になる。
【図面の簡単な説明】
【図１】  本発明の防水シートの一部切欠裁分解斜視図。
【図２】  本発明の防水シートの断面図。
【図３】  本発明の防水シートの一部切欠裁分解斜視図。
【図４】  本発明の防水シートの断面図。
【図５】  本発明の防水シートの一部切欠裁分解斜視図。
【図６】  本発明の防水シートの断面図。
【図７】  本発明の防水シートの一部切欠裁分解斜視図。
【図８】  本発明の防水シートの断面図。
【図９】  本発明の防水シートを用いる防水層を有する壁の断面図。
【図１０】  本発明の別の防水シートを用いる防水層を有する壁の断面図。
【図１１】  緩衝部を持つシート状基材の一例の斜視図。
【図１２】  連通孔を持つシート状基材の一例の斜視図。
【符号の説明】
１，１１，９１，９３：シート状基材、
２，１２：剥離フィルム、
３，１３：改質アスファルトを含む粘着層、
４，１４，１５：剥離シート、
６，１６：一次壁、
７，１７：二次被覆壁、
９，１０，１９，２０，７１，７２，７３，８１，８２，８３：防水シート、
３０，４０：壁、
９２：緩衝部、
９４：連通孔
【図１】
0004106817.tif 000002
【図２】
0004106817.tif 000003
【図３】
0004106817.tif 000004
【図４】
0004106817.tif 000005
【図５】
0004106817.tif 000006
【図６】
0004106817.tif 000007
【図７】
0004106817.tif 000008
【図８】
0004106817.tif 000009
【図９】
0004106817.tif 000010
【図１０】
0004106817.tif 000011
【図１１】
0004106817.tif 000012
【図１２】
0004106817.tif 000013